(57)【要約】【課題】ヒンジ部に配線される信号線の数を低減させた情報処理装置を提供すること。【解決手段】直流成分を含まず、かつ、クロックの半周期毎に極性が反転する符号を用いて映像データを符号化して符号化信号を生成する符号化部、第２のモジュールが有する発光素子を駆動するための直流成分を含む駆動信号に前記符号化部で生成された符号化信号を重畳して伝送する信号重畳部を有する第１のモジュールと、前記第１のモジュールから受信した信号に含まれる前記駆動信号と前記符号化信号とを分離する信号分離部、前記信号分離部で分離された符号化信号の極性反転周期を検出し、当該検出結果に基づいて前記クロックを再生するクロック再生部、前記クロック再生部で再生されたクロックを用いて前記符号化信号から前記映像データを復号する映像データ復号部を有する第２のモジュールと、を備える、情報処理装置が提供される。【選択図】図２
2010118815.tif 000002
【特許請求の範囲】
【請求項１】
直流成分を含まず、かつ、クロックの半周期毎に極性が反転する符号を用いて映像データを符号化して符号化信号を生成する符号化部と、
第２のモジュールが有する発光素子を駆動するための直流成分を含む駆動信号に前記符号化部で生成された符号化信号を重畳して伝送する信号重畳部と、
を有する、第１のモジュールと；
前記第１のモジュールから受信した信号に含まれる前記駆動信号と前記符号化信号とを分離する信号分離部と、
前記信号分離部で分離された符号化信号の極性反転周期を検出し、当該検出結果に基づいて前記クロックを再生するクロック再生部と、
前記クロック再生部で再生されたクロックを用いて前記符号化信号から前記映像データを復号する映像データ復号部と、
を有する、第２のモジュールと；
を備える、情報処理装置。
【請求項２】
前記符号化部は、
直流成分を含まず、かつ、少なくとも３値の振幅値で異なる２つのビット値が表現される伝送速度Ｆｂの符号Ｄに前記映像データを符号化するデータ符号化部と、
前記符号Ｄよりも大きい振幅値を有する伝送速度Ｆｂ／２のクロックを前記データ符号化部で符号化された前記映像データの符号Ｄにエッジを揃えて同期加算することで前記符号化信号を生成するクロック加算部と、
を含む、請求項１に記載の情報処理装置。
【請求項３】
前記第１のモジュールは、少なくともノート型コンピュータ、携帯電話、又は携帯端末を含む携帯型情報機器の本体部であり、
前記第２のモジュールは、前記携帯型情報機器の表示部であり、
前記表示部及び前記本体部は、可動部材で形成されるヒンジ部で接続されており、
前記本体部から伝送される前記重畳信号は、前記ヒンジ部に設けられた所定の伝送線路を通じて前記表示部に伝送される、請求項２に記載の情報処理装置。
【請求項４】
前記信号分離部は、高周波成分をカットするローパスフィルタを用いて前記駆動信号を抽出し、直流成分をカットするコンデンサを用いて前記符号化信号を抽出することで、前記駆動信号と前記符号化信号とを分離する、請求項１に記載の情報処理装置。
【請求項５】
第１のモジュールが、
直流成分を含まず、かつ、クロックの半周期毎に極性が反転する符号を用いて映像データを符号化して符号化信号を生成する符号化ステップと、
第２のモジュールが有する発光素子を駆動するための直流成分を含む駆動信号に前記符号化部で生成された符号化信号を重畳して伝送する信号重畳ステップと、
前記第２のモジュールが、
前記第１のモジュールから受信した信号に含まれる前記駆動信号と前記符号化信号とを分離する信号分離ステップと、
前記信号分離ステップで分離された符号化信号の極性反転周期を検出し、当該検出結果に基づいて前記クロックを再生するクロック再生ステップと、
前記クロック再生ステップで再生されたクロックを用いて前記符号化信号から前記映像データを復号する映像データ復号ステップと、
を含む、信号伝送方法。
【発明の詳細な説明】
【技術分野】
【０００１】
本発明は、情報処理装置、及び信号伝送方法に関する。
【背景技術】
【０００２】
携帯電話やノート型のパーソナルコンピュータ（以下、ノートＰＣ）等の情報処理装置は、ユーザが操作する本体部分と、情報が表示される表示部分とを接続するヒンジ部分に可動部材が用いられていることが多い。ところが、ヒンジ部分には多数の信号線や電力線が配線されており、配線の信頼性を維持する工夫が求められる。まず、考えられるのが、ヒンジ部分を通る信号線の数を減らすことである。そこで、本体部分と表示部分との間においては、パラレル伝送方式ではなく、シリアル伝送方式でデータの伝送処理が行われるようにする。シリアル伝送方式を用いると、信号線の本数が低減されると共に、さらに電磁妨害（ＥＭＩ；Ｅｌｅｃｔｒｏ  Ｍａｇｎｅｔｉｃ  Ｉｎｔｅｒｆｅｒｅｎｃｅ）が低減されるという効果も得られる。
【０００３】
さて、シリアル伝送方式の場合、データは符号化されてから伝送される。その際、符号化方式としては、例えば、ＮＲＺ（Ｎｏｎ  Ｒｅｔｕｒｎ  ｔｏ  Ｚｅｒｏ）符号方式やマンチェスタ符号方式、或いは、ＡＭＩ（Ａｌｔｅｒｎａｔｅ  Ｍａｒｋ  Ｉｎｖｅｒｓｉｏｎ）符号方式等が用いられる。例えば、下記の特許文献１には、バイポーラ符号の代表例であるＡＭＩ符号を利用してデータ伝送する技術が開示されている。また、同文献には、データクロックを信号レベルの中間値で表現して伝送し、受信側で信号レベルに基づいてデータクロックを再生する技術が開示されている。
【０００４】
【特許文献１】特開平３−１０９８４３号公報
【発明の開示】
【発明が解決しようとする課題】
【０００５】
しかしながら、ノートＰＣのような情報処理装置においては、上記の符号を用いるシリアル伝送方式を用いても、依然としてヒンジ部分に配線される信号線の本数が多いという問題がある。例えば、ノートＰＣの場合、表示部分に伝送されるビデオ信号の他、ＬＣＤを照明するためのＬＥＤバックライトに関する配線が存在し、これらの信号線を含めると数十本程度の信号線がヒンジ部に配線されることになる。なお、上記のＬＣＤは、Ｌｉｑｕｉｄ  Ｃｒｙｓｔａｌ  Ｄｉｓｐｌａｙの略である。また、上記のＬＥＤは、Ｌｉｇｈｔ  Ｅｍｉｔｔｉｎｇ  Ｄｉｏｄｅの略である。
【０００６】
そこで、本発明は、上記問題に鑑みてなされたものであり、本発明の目的とするところは、ヒンジ部に配線される信号線の本数を低減させることが可能な、新規かつ改良された情報処理装置、及び信号伝送方法を提供することにある。
【課題を解決するための手段】
【０００７】
上記課題を解決するために、本発明のある観点によれば、直流成分を含まず、かつ、クロックの半周期毎に極性が反転する符号を用いて映像データを符号化して符号化信号を生成する符号化部と、第２のモジュールが有する発光素子を駆動するための直流成分を含む駆動信号に前記符号化部で生成された符号化信号を重畳して伝送する信号重畳部と、を有する、第１のモジュールと；前記第１のモジュールから受信した信号に含まれる前記駆動信号と前記符号化信号とを分離する信号分離部と、前記信号分離部で分離された符号化信号の極性反転周期を検出し、当該検出結果に基づいて前記クロックを再生するクロック再生部と、前記クロック再生部で再生されたクロックを用いて前記符号化信号から前記映像データを復号する映像データ復号部と、を有する、第２のモジュールと；を備える、情報処理装置が提供される。
【０００８】
また、前記符号化部は、直流成分を含まず、かつ、少なくとも３値の振幅値で異なる２つのビット値が表現される伝送速度Ｆｂの符号Ｄに前記映像データを符号化するデータ符号化部と、前記符号Ｄよりも大きい振幅値を有する伝送速度Ｆｂ／２のクロックを前記データ符号化部で符号化された前記映像データの符号Ｄにエッジを揃えて同期加算することで前記符号化信号を生成するクロック加算部と、を含むように構成されていてもよい。
【０００９】
また、前記第１のモジュールは、少なくともノート型コンピュータ、携帯電話、又は携帯端末を含む携帯型情報機器の本体部であってもよい。さらに、前記第２のモジュールは、前記携帯型情報機器の表示部であってもよい。そして、前記表示部及び前記本体部は、可動部材で形成されるヒンジ部で接続されていてもよい。この場合、前記本体部から伝送される前記重畳信号は、前記ヒンジ部に設けられた所定の伝送線路を通じて前記表示部に伝送される。
【００１０】
また、前記信号分離部は、高周波成分をカットするローパスフィルタを用いて前記駆動信号を抽出し、直流成分をカットするコンデンサを用いて前記符号化信号を抽出することで、前記駆動信号と前記符号化信号とを分離するように構成されていてもよい。
【００１１】
また、上記課題を解決するために、本発明の別の観点によれば、第１のモジュールが、直流成分を含まず、かつ、クロックの半周期毎に極性が反転する符号を用いて映像データを符号化して符号化信号を生成する符号化ステップと、第２のモジュールが有する発光素子を駆動するための直流成分を含む駆動信号に前記符号化部で生成された符号化信号を重畳して伝送する信号重畳ステップと、前記第２のモジュールが、前記第１のモジュールから受信した信号に含まれる前記駆動信号と前記符号化信号とを分離する信号分離ステップと、前記信号分離ステップで分離された符号化信号の極性反転周期を検出し、当該検出結果に基づいて前記クロックを再生するクロック再生ステップと、前記クロック再生ステップで再生されたクロックを用いて前記符号化信号から前記映像データを復号する映像データ復号ステップと、を含む、信号伝送方法が提供される。
【００１２】
また、上記課題を解決するために、本発明の別の観点によれば、上記の情報処理装置が備える各構成要素の機能をコンピュータに実現させるためのプログラムが提供されうる。さらに、当該プログラムが記録されたコンピュータにより読み取り可能な記録媒体が提供されうる。
【発明の効果】
【００１３】
以上説明したように本発明によれば、ヒンジ部に配線される信号線の本数を低減させることが可能になる。
【発明を実施するための最良の形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
［説明の流れについて］
ここで、以下に記載する本発明の実施形態に関する説明の流れについて簡単に述べる。まず、図１を参照しながら、一般的な情報処理装置１００のヒンジ部分に配線される信号線の構成を中心に、その装置構成について簡単に説明する。この説明の中で、図１及び図８を参照しながら、同実施形態が解決しようとする課題について整理する。次いで、図２を参照しながら、同実施形態に係る情報処理装置２００の装置構成について説明する。この説明の中で、図５〜図７を参照しながら、同実施形態においてデータの伝送に用いられる符号化方式、及び信号伝送方法について説明する。次いで、図３及び図４を参照しながら、情報処理装置２００に設けられるマルチプレクサ２０２、及びデマルチプレクサ２０４の回路構成例について説明する。最後に、同実施形態の技術的思想について纏め、当該技術的思想から得られる作用効果について簡単に説明する。
【００１６】
（説明項目）
１：課題の整理
１−１：高解像度化への流れ
１−２：情報処理装置１００の装置構成
１−３：情報処理装置１００が抱える課題
２：実施形態
２−１：情報処理装置２００の装置構成
２−２：符号化方式について
２−３：信号多重／分離手段の回路構成例
２−４：まとめ
【００１７】
＜１：課題の整理＞
まず、本発明の一実施形態に係る技術について詳細な説明をするに先立ち、同実施形態が解決しようとする課題について簡単に纏める。
【００１８】
［１−１：高解像度化への流れ］
まず、図８を参照しながら、ノートＰＣや携帯電話等（以下、情報処理装置１００）における表示画面の高解像度化について簡単に述べる。近年、製造プロセスの微細化や制御技術の高度化に伴い、情報処理装置１００の表示能力は飛躍的に向上している。特に、表示画面の大型化、高解像度化は非常に早い速度で進行している。図８に示すように、最近では、携帯電話ですらＶＧＡ以上の画面解像度を持つようになってきている。さらに、ノートＰＣでは、ＵＸＧＡ又はそれ以上の画面解像度が実現されている。
【００１９】
こうした表示画面の高解像度化に伴い、本体部分から表示部分へと伝送されるビデオ信号の伝送速度も非常に高速化されている。上記の通り、ビデオ信号の伝送方式には、ＥＭＩの影響やヒンジ部分の配線数を削減する目的でシリアル伝送方式が用いられる。例えば、画面解像度がＵＸＧＡの表示画面を有する表示部分に伝送されるシリアルデータは、３Ｇｂｐｓ程度の伝送速度で伝送されることになる。３Ｇｂｐｓという非常に高速な伝送速度でデータを伝送するような場合、情報処理装置１００は、１つのデータを複数のデータに分割し、各分割データを１Ｇｂｐｓの伝送速度で伝送する。
【００２０】
なお、上記のＶＧＡは、Ｖｉｄｅｏ  Ｇｒａｐｈｉｃｓ  Ａｒｒａｙの略である。そして、ＶＧＡの表示画面は、６４０×４８０ピクセルで構成される。また、上記のＵＸＧＡは、Ｕｌｔｒａ  ｅＸｔｅｎｄｅｄ  Ｇｒａｐｈｉｃｓ  Ａｒｒａｙの略である。そして、ＵＸＧＡの表示画面は、１６００×１２００ピクセルで構成される。
【００２１】
［１−２：情報処理装置１００の装置構成］
次に、図１を参照しながら、情報処理装置１００の装置構成について説明する。図１は、多数の信号線を有する情報処理装置１００の装置構成例を示す説明図である。なお、図１には、情報処理装置１００の代表的な形態としてノートＰＣが模式的に描画されている。しかし、情報処理装置１００は、必ずしもノートＰＣに限定されるものではない。情報処理装置１００は、本体部分と表示部分とがヒンジ部分を介して接続され、ヒンジ部分に多数の配線が施されるような任意の電子機器である。
【００２２】
図１に示すように、情報処理装置１００は、本体側の構成要素とＬＣＤ側の構成要素とを接続するヒンジ部１０１を有する。このヒンジ部１０１には、上記の通り、多数の信号線が配線される。情報処理装置１００の本体側には、演算処理部１０２（Ｍａｉｎ  ＣＰＵ）と、ＬＣＤ用電源１０３（ＬＣＤ  Ｐｏｗｅｒ）と、シリアライザ１０４（ＳＥＲ）と、ＬＥＤドライバ１０５（ＬＥＤ  Ｄｒｉｖｅｒ）とが含まれる。一方、情報処理装置１００のＬＣＤ側には、デシリアライザ１０６（ＤＥＳ）と、ＬＣＤパネル１０７（ＬＣＤ  ＰＡＮＥＬ）とが含まれる。また、ＬＣＤパネル１０７には、バックライト照明用に複数のＬＥＤ１０８が設けられている。
【００２３】
演算処理部１０２は、情報処理装置１００に含まれる構成要素の制御処理、及び各種演算処理を管理及び実行する手段である。演算処理部１０２で実行される処理に応じて出力されるデータは、バスを介してシリアライザ１０４に入力される。例えば、ＬＣＤパネル１０７に映像を表示させるためのビデオ信号が演算処理部１０２からシリアライザ１０４に入力される。演算処理部１０２からビデオ信号が入力されると、シリアライザ１０４は、パラレル形式のビデオ信号をシリアル形式のビデオ信号に変換する。このとき、シリアライザ１０４は、ビデオ信号を複数の分割データ信号に分割する。そして、シリアライザ１０４は、差動方式でクロック（ＣＬＫ）、及び３つの分割データ信号（ＤＡＴＡ１、ＤＡＴＡ２、ＤＡＴＡ３）をＬＣＤ側のデシリアライザ１０６に伝送する。
【００２４】
なお、クロックとしては、例えば、ピクセルクロック又はビットクロックが用いられる。ピクセルクロックとは、シリアル伝送速度の２７〜３０分の１の伝送速度を有する低速なクロックのことを言う。また、３つの分割データ信号は、シリアル伝送速度の３分の１の伝送速度で伝送される。例えば、ＬＣＤパネル１０７の解像度がＵＸＧＡであり、ビデオ信号の伝送速度が３Ｇｂｐｓの場合、各分割データ信号は、１Ｇｂｐｓの伝送速度で伝送される。このようにして本体側に含まれるシリアライザ１０４からＬＣＤ側に含まれるデシリアライザ１０６にビデオ信号が伝送される。シリアライザ１０４からクロック及び３つの分割データ信号を受信すると、デシリアライザ１０６は、クロック及び３つの分割データ信号をパラレル形式のビデオ信号に変換する。デシリアライザ１０６でパラレル形式に変換されたビデオ信号は、ＬＣＤパネル１０７に入力される。
【００２５】
さて、本体側に含まれるＬＣＤ用電源１０３は、ＬＣＤパネル１０７に電源Ｖｌｃｄを供給する電源供給手段である。そのため、ＬＣＤ用電源１０３から出力される電源Ｖｌｃｄは、電源線を通じてＬＣＤ側に含まれるＬＣＤパネル１０７に供給される。また、本体側に含まれるＬＥＤドライバ１０５は、ＬＣＤパネル１０７のバックライト照明を構成する白色のＬＥＤ１０８に電源Ｖｂｌの供給及び電流のシンクを行うＬＥＤの駆動手段である。ＬＥＤ１０８に供給される電源Ｖｂｌは、チョッパ等により高圧に昇圧され、ＬＣＤパネル１０７に供給される。ところで、ＬＣＤパネル１０７のバックライト照明には、１０個程度のＬＥＤ１０８が用いられる。しかし、全てのＬＥＤ１０８を直列接続すると、これらのＬＥＤ１０８に供給される電圧が高圧になってしまう。
【００２６】
そのため、ＬＣＤパネル１０７には、４〜６系統に分けて複数のＬＥＤ１０８が直列接続されている。従って、ＬＥＤ１０８には、系統毎に電圧が供給される。図１の例では、ＬＣＤパネル１０７に配設される複数のＬＥＤ１０８は、６系統に分けられている。この場合、６系統のＬＥＤ１０８を全て点灯させるために、電流の吸い込みとして６本の信号Ｓ１〜Ｓ６が必要になる。また、ＬＥＤドライバ１０５は、各系統でＬＥＤ１０８の輝度ムラが発生しないように電流制御を実行する。上記の通り、演算処理部１０２、ＬＣＤ用電源１０３、シリアライザ１０４、及びＬＥＤドライバ１０５は、本体側に実装されている。一方、デシリアライザ１０６、及びＬＣＤパネル１０７は、ＬＣＤ側に実装されている。そのため、本体側と表示部側とを接続するヒンジ部１０１には、電源供給又は信号伝送に用いる多芯の細線同軸ケーブルが配線されている。
【００２７】
［１−３：情報処理装置１００が抱える課題］
上記の通り、ヒンジ部１０１内の配線を通じて伝送される信号は、ビデオ信号以外にバックライト照明用のＬＥＤ１０８に関する信号が多い。また、ヒンジ部１０１内の配線は、電源線、グランド、及びその他の制御信号用の信号線を含めると２０本以上になる。こうした信号線の数を低減させるために、例えば、ＬＥＤドライバ１０５を本体側ではなく、ＬＣＤ側に実装する方法が考えられる。このような実装方法を用いると、信号Ｓ１〜Ｓ６の分だけ信号線を削減することが可能になる。
【００２８】
しかし、ノートＰＣ等の情報処理装置１００においては、ＬＣＤ側の薄型化、及び画面額縁の低面積化がデザイン性を高める上で非常に重要である。そのため、可能な限りＬＣＤ側の部品実装面積を低減させることが求められる。こうした理由から、ＬＥＤドライバ１０５は本体側に実装されることが多い。そのため、ビデオ信号をシリアル化しても、ヒンジ部１０１の配線数は十分に低減されない。その結果、ヒンジ部１０１の可動範囲の自由度が制限されていた。また、ヒンジ部１０１の配線に関する断線事故の危険性が依然として小さくないという問題がある。後述する実施形態においては、こうした問題を解決するための一手段が提案される。
【００２９】
＜２：実施形態＞
本発明の一実施形態について説明する。本実施形態は、ＬＣＤパネル１０７に伝送されるビデオ信号、クロック、及びＬＥＤ１０８のドライブ信号を多重して同一ラインで伝送することにより、ヒンジ部分の配線数を減らす技術を提案するものである。
【００３０】
［２−１：情報処理装置２００の装置構成］
まず、図２を参照しながら、本実施形態に係る情報処理装置２００の装置構成について説明する。図２は、本実施形態に係る情報処理装置２００の装置構成例を示す説明図である。但し、上記の情報処理装置１００と実質的に同一の機能を有する構成要素については同一の符号を付することにより重複説明を省略することにする。なお、図２には、情報処理装置２００の一例としてノート型ＰＣが模式的に描画されているが、以下で説明される技術の適用範囲はノート型ＰＣに限定されない。
【００３１】
図２に示すように、情報処理装置２００は、本体側の構成要素とＬＣＤ側の構成要素とを接続するヒンジ部２０３を有する。情報処理装置２００の本体側には、演算処理部１０２（Ｍａｉｎ  ＣＰＵ）と、ＬＣＤ用電源１０３（ＬＣＤ  Ｐｏｗｅｒ）と、ＬＥＤドライバ１０５（ＬＥＤ  Ｄｒｉｖｅｒ）と、シリアライザ２０１（ＳＥＲ）と、マルチプレクサ２０２とが含まれる。一方、情報処理装置１００のＬＣＤ側には、ＬＣＤパネル１０７（ＬＣＤ  ＰＡＮＥＬ）と、デマルチプレクサ２０４（ＤＥＭＵＸ）と、デシリアライザ２０５（ＤＥＳ）と、が含まれる。
【００３２】
まず、演算処理部１０２から出力されるデータは、バスを介してシリアライザ２０１に入力される。例えば、ＬＣＤパネル１０７に映像を表示させるためのビデオ信号が演算処理部１０２からシリアライザ２０１に入力される。演算処理部１０２からビデオ信号が入力されると、シリアライザ２０１は、パラレル形式のビデオ信号をシリアル形式のビデオ信号に変換する。このとき、シリアライザ２０１は、ビデオ信号を複数の分割データ信号に分割する。さらに、シリアライザ２０１は、直流成分を含まず、かつ、クロック（ＣＬＫ）の半周期毎に極性が反転する符号形状に各分割データ信号を符号化して符号化データ信号（ＤＡＴＡ１、ＤＡＴＡ２、ＤＡＴＡ３）を生成する。これらの符号化データ信号ＤＡＴＡ１、ＤＡＴＡ２、ＤＡＴＡ３は、シリアライザ２０１からマルチプレクサ２０２に入力される。
【００３３】
上記の符号化データ信号ＤＡＴＡ１、ＤＡＴＡ２、ＤＡＴＡ３が入力されると、マルチプレクサ２０２は、ＬＣＤパネル１０７に設けられた各系統のＬＥＤ１０８を駆動するためのドライブ信号Ｓ１〜Ｓ６に符号化データ信号を重畳し、６本の信号ラインを通じてデマルチプレクサ２０４に伝送する。例えば、マルチプレクサ２０２において、符号化データ信号ＤＡＴＡ１の差動信号とドライブＳ１、Ｓ２が重畳され、信号ラインで重畳信号Ｄ１１、Ｄ１２が生成される。同様に、符号化データ信号ＤＡＴＡ２の差動信号とドライブＳ３、Ｓ４が重畳され、信号ラインで重畳信号Ｄ２１、Ｄ２２が生成される。そして、符号化データ信号ＤＡＴＡ３の差動信号とドライブＳ５、Ｓ６が重畳され、信号ラインで重畳信号Ｄ３１、Ｄ３２が生成される。
【００３４】
なお、ＬＥＤ１０８に供給される電源Ｖｂｌは、ＬＥＤドライバ１０５においてチョッパ等により高圧に昇圧され、ＬＣＤパネル１０７に供給される。そのため、ドライブ信号Ｓ１〜Ｓ６は、数１００ｋＨｚ程度の直流成分を含む電流となる。しかし、符号化データ信号ＤＡＴＡ１、ＤＡＴＡ２、ＤＡＴＡ３はシリアライザ２０１において直流成分を含まない符号形状に符号化されているため、上記のように符号化データ信号ＤＡＴＡ１、ＤＡＴＡ２、ＤＡＴＡ３とドライブ信号Ｓ１〜Ｓ６とを分離可能な形で重畳することができるのである。上記の通り、重畳信号Ｄ１１、Ｄ１２、Ｄ２１、Ｄ２２、Ｄ３１、Ｄ３２は、６本の信号ラインを通じてデマルチプレクサ２０４に伝送される。
【００３５】
マルチプレクサ２０２から重畳信号Ｄ１１、Ｄ１２、Ｄ２１、Ｄ２２、Ｄ３１、Ｄ３２を受信すると、デマルチプレクサ２０４は、各重畳信号から符号化データ信号ＤＡＴＡ１、ＤＡＴＡ２、ＤＡＴＡ３とドライブ信号Ｓ１〜Ｓ６とを分離する。そして、デマルチプレクサ２０４で分離された符号化データ信号ＤＡＴＡ１、ＤＡＴＡ２、ＤＡＴＡ３は、デシリアライザ２０５に入力される。一方、ドライブ信号Ｓ１〜Ｓ６は、ＬＣＤパネル１０７に入力される。以上、本実施形態に係る情報処理装置２００の装置構成について説明した。但し、当該説明の中で、シリアライザ２０１による符号化方式の詳細については説明が省略されていた。そこで、以下では、当該符号化方式について、より詳細に説明する。
【００３６】
［２−２：符号化方式について］
ここで、図５〜図７を参照しながら、本実施形態に係る符号化方式について説明する。図５は、本実施形態に係る符号化方法及び符号形状の一例を示す説明図である。図６は、本実施形態に係る符号の周波数スペクトラムの一例を示す説明図である。図７は、本実施形態に係る符号を伝送した場合に観測される実際的な信号波形の一例である。
【００３７】
まず、図５を参照する。上記の通り、シリアライザ２０１は、直流成分を含まず、かつ、クロックの半周期毎に極性が反転する符号形状に各分割データ信号を符号化する。このような符号形状を生成するため、シリアライザ２０１は、まず、直流成分を含まない符号に各分割データ信号を符号化する。直流成分を含まない符号としては、例えば、マンチェスタ符号、ＡＭＩ符号、パーシャルレスポンス符号、バイポーラ符号等が用いられる。なお、ＡＭＩとは、Ａｌｔｅｒｎａｔｅ  Ｍａｒｋ  Ｉｎｖｅｒｓｉｏｎの略である。例えば、１００％デューティのＡＭＩ符号を用いる場合、図５の（Ａ）で示されるような符号（以下、符号（Ａ））が生成される。
【００３８】
符号（Ａ）は、入力されるデータが１の場合、トグルで電位１又は電位−１となる。一方、入力されるデータが０の場合、電位０となる。また、図５の例では、符号（Ａ）の伝送速度がＦｂ、ビット間隔が１／Ｆｂである。符号（Ａ）を生成した後、シリアライザ２０１は、加算器ＡＤＤを用いて符号（Ａ）にクロック（Ｂ）を同期加算する。図５に示すように、符号（Ａ）に加算されるクロック（Ｂ）としては、符号（Ａ）が持つ伝送速度Ｆｂの半分の周波数を持つものが用いられる。従って、クロック（Ｂ）の周期は２／Ｆｂである。さらに、クロック（Ｂ）の振幅は、符号（Ａ）が持つ振幅の２倍に設定される。上記のように加算器ＡＤＤで符号（Ａ）にクロック（Ｂ）が加算されると、加算器ＡＤＤから出力される符号（以下、符号（Ｃ））は、図５の（Ｃ）に示すような符号形状になる。
【００３９】
なお、加算器ＡＤＤにおいて符号（Ａ）とクロック（Ｂ）とが加算される際、両者はエッジを揃えて同期加算する必要がある。そのため、クロック（Ｂ）の周波数は符号（Ａ）の伝送速度Ｆｂの半分となるが、符号（Ｃ）の立ち上がり、立ち下がりの両エッジを検出することで符号（Ｃ）からクロック（Ｂ）を再生することが可能になる。図５に示すように、符号（Ｃ）の振幅は、−３、−２、−１、１、２、３の６値をとる。符号（Ａ）と対比すると、符号（Ｃ）の振幅−２及び２にデータ０が対応し、それ以外の振幅にデータ１が対応することが分かる。従って、閾値Ｌ１、Ｌ２、Ｌ３、Ｌ４を用いることで、データを復号することができる。また、閾値Ｌ０を用いることで、符号（Ｃ）の極性反転を検出することができるため、検出した極性反転周期に基づいてクロック（Ｂ）を再生することが可能である。
【００４０】
なお、データ１、０を判定するために４つの閾値Ｌ１、Ｌ２、Ｌ３、Ｌ４が必要になるが、符号（Ｃ）を絶対値回路に通してマイナス側をプラス側に折り返せば、データの判定に用いる閾値の数を２つに減らすこともできる。データ判定に用いる閾値の数を減らす工夫については、絶対値回路を用いる方法の他にも種々の方法が考えられる。例えば、符号（Ｃ）からクロック（Ｂ）を差し引いた上でデータ判定を行う方法も、その一例である。このように、符号（Ｃ）からデータ判定を行う方法について種々の変形が可能である。上記の通り、符号（Ｃ）からクロック（Ｂ）を容易に検出することができる。そのため、受信側にＰＬＬを用いずに済み、省電力化に寄与する。また、符号（Ｃ）には直流成分が含まれない。そのため、直流成分を含むドライブ信号に重畳して伝送することができる。
【００４１】
次に、図６及び図７を参照する。図７は、実際に測定される符号（Ｃ）のアイパタンの一例である。伝送する際に高域遮断が伴うので、符号（Ｃ）の信号波形は丸みを帯びた形状になる。図６は、符号（Ｃ）の周波数スペクトラムを示したものである。この周波数スペクトラムのピークは周波数Ｆｂ／２の位置に現れる。また、周波数Ｆｂ／２の位置には線スペクトラムが存在する。さらに、この周波数スペクトラムには、Ｆｂ，２Ｆｂ、３Ｆｂ、…にヌル点が存在する。この周波数スペクトラムからも、符号（Ｃ）に直流成分が含まれないことを確認することができる。
【００４２】
なお、上記の例においては、シリアライザ２０１で各分割データ信号が上記の符号（Ｃ）に符号化されるかのように説明したが、必ずしも全ての分割データ信号が上記の符号（Ｃ）の符号形状に符号化される必要はない。例えば、符号化データ信号ＤＡＴＡ１、ＤＡＴＡ２、ＤＡＴＡ３のうち、少なくとも１つの符号化データ信号のみが符号（Ｃ）の符号形状を有していれば足りる。例えば、符号化データ信号ＤＡＴＡ１が符号（Ｃ）の形状に符号化され、符号化データ信号ＤＡＴＡ２、ＤＡＴＡ３がＡＭＩ符号（符号（Ａ））に符号化される。この場合、デシリアライザ２０５は、符号化データ信号ＤＡＴＡ１からクロック（Ｂ）の成分を検出し、その検出結果に基づいてクロック（Ｂ）を再生する。また、符号化データ信号ＤＡＴＡ１、ＤＡＴＡ２、ＤＡＴＡ３の伝送速度が互いに一致していなくてもよい。
【００４３】
［２−３：信号多重／分離手段の回路構成例］
次に、図３及び図４を参照しながら、情報処理装置２００に設けられた信号多重／分離手段（マルチプレクサ２０２、デマルチプレクサ２０４）の回路構成について説明する。図３及び図４は、本実施形態に係るマルチプレクサ２０２、及びデマルチプレクサ２０４の回路構成例を示す説明図である。
【００４４】
まず、図３を参照する。マルチプレクサ２０２は、コンデンサＣ１、Ｃ２、Ｃ３、Ｃ４、及びインダクタＬ１、Ｌ２で構成される。デマルチプレクサ２０４は、コンデンサＣ５、Ｃ６、Ｃ７、Ｃ８、及びインダクタＬ３、Ｌ４で構成される。また、マルチプレクサ２０２とデマルチプレクサ２０４とは、２本の細線同軸ケーブル３０１、３０２で接続されている。なお、以下の説明において、符号化データ信号ＤＡＴＡ１の差動信号をＤ１＋、Ｄ１−と表現する。また、符号化データ信号ＤＡＴＡ２、ＤＡＴＡ３に関しても、符号化データ信号ＤＡＴＡ１の場合と実質的に同じであるため、これらの符号化データ信号については説明を省略する。
【００４５】
まず、シリアライザ２０１から出力された差動信号Ｄ１＋は、コンデンサＣ１を通過して直流成分がカットされた後、細線同軸ケーブル３０１に入力される。一方、ドライブ信号Ｓ１の電流は、デカップリングコンデンサＣ７及びインダクタＬ３により形成されるローパスフィルタを通過した後、細線同軸ケーブル３０１に入力される。細線同軸ケーブル３０１においては、差動信号Ｄ１＋とドライブ信号Ｓ１とが高周波的に結合されて重畳信号Ｄ１１が形成される。ＬＣＤ側においては、コンデンサＣ５により重畳信号Ｄ１１から直流成分がカットされ、差動信号Ｄ１＋が抽出される。抽出された差動信号Ｄ１＋は、デシリアライザ２０５に入力される。一方、本体側においては、デカップリングコンデンサＣ３及びインダクタＬ１で形成されるローパスフィルタにより重畳信号Ｄ１１から高周波成分がカットされ、ドライブ信号Ｓ１の電流が抽出される。抽出されたドライブ信号Ｓ１の電流は、ＬＥＤドライバ１０５に入力され、ＬＥＤ１０８の輝度制御に用いられる。
【００４６】
同様に、シリアライザ２０１から出力された差動信号Ｄ１−は、コンデンサＣ２を通過して直流成分がカットされた後、細線同軸ケーブル３０２に入力される。一方、ドライブ信号Ｓ２の電流は、デカップリングコンデンサＣ８及びインダクタＬ４により形成されるローパスフィルタを通過した後、細線同軸ケーブル３０２に入力される。細線同軸ケーブル３０２においては、差動信号Ｄ１−とドライブ信号Ｓ２とが高周波的に結合されて重畳信号Ｄ１２が形成される。ＬＣＤ側においては、コンデンサＣ６により重畳信号Ｄ１２から直流成分がカットされ、差動信号Ｄ１−が抽出される。抽出された差動信号Ｄ１−は、デシリアライザ２０５に入力される。一方、本体側においては、デカップリングコンデンサＣ４及びインダクタＬ２で形成されるローパスフィルタにより重畳信号Ｄ１２から高周波成分がカットされ、ドライブ信号Ｓ２の電流が抽出される。抽出されたドライブ信号Ｓ２の電流は、ＬＥＤドライバ１０５に入力され、ＬＥＤ１０８の輝度制御に用いられる。
【００４７】
このように、シリアライザ２０１で生成された符号化データ信号ＤＡＴＡ１は、差動信号Ｄ１＋、Ｄ１−として、細線同軸ケーブル３０１、３０２を通じてデシリアライザ２０５に伝送される。一方、ＬＣＤパネル１０７のＬＥＤ１０８を駆動するためのドライブ信号Ｓ１、Ｓ２は、細線同軸ケーブル３０１、３０２を通じてＬＥＤドライバ１０５に入力され、電流の吸い込みが行われる。
【００４８】
次に、図４を参照する。図４は、図３の構成をシングルエンド伝送の場合に変更したものである。この場合、２本の細線同軸ケーブル３０１、３０２を用いて、シリアライザ２０１とデシリアライザ２０５との間で、それぞれ符号化データ信号ＤＡＴＡ１、ＤＡＴＡ２が伝送される。
【００４９】
まず、シリアライザ２０１から出力された符号化データ信号ＤＡＴＡ１は、コンデンサＣ１を通過して直流成分がカットされた後、細線同軸ケーブル３０１に入力される。一方、ドライブ信号Ｓ１の電流は、デカップリングコンデンサＣ７及びインダクタＬ３により形成されるローパスフィルタを通過した後、細線同軸ケーブル３０１に入力される。細線同軸ケーブル３０１においては、符号化データ信号ＤＡＴＡ１とドライブ信号Ｓ１とが高周波的に結合されて重畳信号Ｄ１１が形成される。ＬＣＤ側においては、コンデンサＣ５により重畳信号Ｄ１１から直流成分がカットされ、符号化データ信号ＤＡＴＡ１が抽出される。抽出された符号化データ信号ＤＡＴＡ１は、デシリアライザ２０５に入力される。一方、本体側においては、デカップリングコンデンサＣ３及びインダクタＬ１で形成されるローパスフィルタにより重畳信号Ｄ１１から高周波成分がカットされ、ドライブ信号Ｓ１の電流が抽出される。抽出されたドライブ信号Ｓ１の電流は、ＬＥＤドライバ１０５に入力され、ＬＥＤ１０８の輝度制御に用いられる。
【００５０】
同様に、シリアライザ２０１から出力された符号化データ信号ＤＡＴＡ２は、コンデンサＣ２を通過して直流成分がカットされた後、細線同軸ケーブル３０２に入力される。一方、ドライブ信号Ｓ２の電流は、デカップリングコンデンサＣ８及びインダクタＬ４により形成されるローパスフィルタを通過した後、細線同軸ケーブル３０２に入力される。細線同軸ケーブル３０２においては、符号化データ信号ＤＡＴＡ２とドライブ信号Ｓ２とが高周波的に結合されて重畳信号Ｄ１２が形成される。ＬＣＤ側においては、コンデンサＣ６により重畳信号Ｄ１２から直流成分がカットされ、符号化データ信号ＤＡＴＡ２が抽出される。抽出された符号化データ信号ＤＡＴＡ２は、デシリアライザ２０５に入力される。一方、本体側においては、デカップリングコンデンサＣ４及びインダクタＬ２で形成されるローパスフィルタにより重畳信号Ｄ１２から高周波成分がカットされ、ドライブ信号Ｓ２の電流が抽出される。抽出されたドライブ信号Ｓ２の電流は、ＬＥＤドライバ１０５に入力され、ＬＥＤ１０８の輝度制御に用いられる。
【００５１】
このように、２本の細線同軸ケーブル３０１、３０２で２つの符号化データ信号ＤＡＴＡ１、ＤＡＴＡ２を伝送することにより、図３の構成に比べて高速にデータを伝送することが可能になる。また、図２の例では、情報処理装置２００に６本の信号ラインを設ける構成が示されていたが、実際には４本程度の信号ラインで構成されることがある。このような場合、図４に例示したシングルエンドの伝送方式が有効になる。
【００５２】
以上、本実施形態に係る情報処理装置２００の装置構成、符号化方式、及び信号多重／分離手段の回路構成等について説明した。上記のように、ビデオ信号と、ＬＥＤ１０８のドライブ信号とを同一の信号ラインに重畳して伝送することにより、ヒンジ部２０３に配線される信号ラインの数を大幅に低減させることが可能になる。その結果、ヒンジ部２０３を通る信号ラインの信頼性が向上する。また、本実施形態に係る符号化方式を採用すると、表示側でＰＬＬを用いずにクロックを再生することが可能になる。表示側にＰＬＬを設けない装置構成にすると、ＰＬＬの分だけ消費電力の低減及び実装面積の削減を行うことができるようになる。本実施形態に係る装置構成は、例えば、ＬＣＤ側が回転できるように、ヒンジ部２０３に回転可能な可動部材を用いるタッチパネル式のノートＰＣ等において好適に用いられる。
【００５３】
［２−４：まとめ］
最後に、本実施形態の情報処理装置が有する機能構成と、当該機能構成により得られる作用効果について簡単に纏める。
【００５４】
まず、本実施形態に係る情報処理装置の機能構成は次のように表現することができる。当該情報処理装置は、以下に示すような第１のモジュール、及び第２のモジュールで構成される。但し、第１のモジュールは本体側の構成要素に相当し、第２のモジュールは表示側の構成要素に相当する。
【００５５】
まず、上記の第１のモジュールは、次のような構成の符号化部及び信号重畳部を有する。上記の符号化部は、直流成分を含まず、かつ、クロックの半周期毎に極性が反転する符号を用いて映像データを符号化して符号化信号を生成するものである。このような符号形状に映像データを符号化することで、符号化信号から容易にクロックを検出することが可能になる。また、上記の符号化信号には直流成分が含まれないため、直流成分を含む信号に符号化信号を重畳して伝送することが可能である。上記の信号重畳部は、第２のモジュールが有する発光素子を駆動するための直流成分を含む駆動信号に前記符号化部で生成された符号化信号を重畳して伝送するものである。上記の通り、符号化信号は直流成分を含まないため、直流成分を含む駆動信号に符号化信号を重畳して伝送しても、重畳された信号から駆動信号と符号化信号とを容易に分離することができる。従って、上記の信号重畳部のように、両信号を重畳して伝送することが可能なのである。
【００５６】
また、上記の第２のモジュールは、次のような構成の信号分離部、クロック再生部、及び映像データ復号部を有する。上記の信号分離部は、前記第１のモジュールから受信した信号に含まれる前記駆動信号と前記符号化信号とを分離するものである。上記の通り、符号化信号は直流成分を含まない。一方、駆動信号は直流成分の電流信号であるため、符号化信号と駆動信号とを容易に分離することができる。また、上記のクロック再生部は、前記信号分離部で分離された符号化信号の極性反転周期を検出し、当該検出結果に基づいて前記クロックを再生するものである。上記の通り、符号化信号の極性反転周期を検出することで、その検出結果に基づいてクロックを容易に再生することができる。そのため、映像データ復号部は、前記クロック再生部で再生されたクロックを用いて前記符号化信号から前記映像データを復号することができる。このような構成にすることで、第１及び第２のモジュール間でデータ伝送に用いる信号ラインの数を大きく低減させることができる。
【００５７】
また、前記符号化部は、次のような構成のデータ符号化部、及びクロック加算部を含むように構成されていてもよい。上記のデータ符号化部は、直流成分を含まず、かつ、少なくとも３値の振幅値で異なる２つのビット値が表現される伝送速度Ｆｂの符号Ｄに前記映像データを符号化するものである。また、クロック加算部は、前記符号Ｄよりも大きい振幅値を有する伝送速度Ｆｂ／２のクロックを前記データ符号化部で符号化された前記映像データの符号Ｄにエッジを揃えて同期加算することで前記符号化信号を生成するものである。このように、直流成分を含まない符号形状に映像データを符号化しておき、その符号にクロックを加算することで、上記の符号化信号を生成することができる。但し、上記の符号にクロックを加算する際、エッジを揃えて同期加算する必要がある。
【００５８】
また、前記第１のモジュールは、例えば、少なくともノート型コンピュータ、携帯電話、又は携帯端末を含む携帯型情報機器の本体部である。この場合、前記第２のモジュールは、前記携帯型情報機器の表示部である。そして、前記表示部及び前記本体部は、可動部材で形成されるヒンジ部で接続されている。このような形態で上記の情報処理装置を構成する場合、前記本体部から伝送される前記重畳信号は、前記ヒンジ部に設けられた所定の伝送線路を通じて前記表示部に伝送される。上記の通り、映像データに基づく符号化信号と、発光素子を駆動するための駆動信号とが重畳伝送されるため、ヒンジ部に配線される信号ラインの数を大幅に低減される。その結果、ヒンジ部の可動範囲が広がると共に、ヒンジ部に配線される信号ラインの信頼性が向上する。従って、本実施形態に係る技術は、上記のような携帯型情報機器に適用されることで、さらに格別の効果が得られる。
【００５９】
また、上記の情報処理装置による信号伝送方法を纏めると、次のようになる。まず、第１のモジュールが、直流成分を含まず、かつ、クロックの半周期毎に極性が反転する符号を用いて映像データを符号化して符号化信号を生成する符号化ステップと、第２のモジュールが有する発光素子を駆動するための直流成分を含む駆動信号に前記符号化部で生成された符号化信号を重畳して伝送する信号重畳ステップとが実行される。次いで、前記第２のモジュールが、前記第１のモジュールから受信した信号に含まれる前記駆動信号と前記符号化信号とを分離する信号分離ステップと、前記信号分離ステップで分離された符号化信号の極性反転周期を検出し、当該検出結果に基づいて前記クロックを再生するクロック再生ステップと、前記クロック再生ステップで再生されたクロックを用いて前記符号化信号から前記映像データを復号する映像データ復号ステップとが実行される。このような信号伝送方法を用いることで、信号ラインの本数を低減させることが可能になる。
【００６０】
（備考）
上記のシリアライザ２０１は、符号化部、データ符号化部、クロック加算部の一例である。上記のマルチプレクサ２０２は、信号重畳部の一例である。上記のデマルチプレクサ２０４は、信号分離部の一例である。上記のデシリアライザ２０５は、クロック再生部、映像データ復号部の一例である。
【００６１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６２】
【図１】ノート型ＰＣのヒンジ部における配線例を示す説明図である。
【図２】本発明の一実施形態に係る情報処理装置の装置構成例、及びヒンジ部の配線例を示す説明図である。
【図３】同実施形態に係るマルチプレクサ、及びデマルチプレクサの回路構成例を示す説明図である。
【図４】同実施形態に係るマルチプレクサ、及びデマルチプレクサの回路構成例を示す説明図である。
【図５】同実施形態に係る符号化方法の一例を示す説明図である。
【図６】同実施形態に係る符号の周波数スペクトラムを模式的に示す説明図である。
【図７】同実施形態に係る信号波形を模式的に示す説明図である。
【図８】画面解像度とシリアル伝送速度との関係を示す説明図である。
【符号の説明】
【００６３】
１００    情報処理装置
１０１    ヒンジ部
１０２    演算処理部
１０３    ＬＣＤ用電源
１０４    シリアライザ
１０５    ＬＥＤドライバ
１０６    デシリアライザ
１０７    ＬＣＤパネル
１０８    ＬＥＤ
２００    情報処理装置
２０１    シリアライザ
２０２    マルチプレクサ
２０３    ヒンジ部
２０４    デマルチプレクサ
２０５    デシリアライザ
３０１、３０２    細線同軸ケーブル
ＡＤＤ    加算器
【図１】
2010118815.tif 000003
【図２】
2010118815.tif 000004
【図３】
2010118815.tif 000005
【図４】
2010118815.tif 000006
【図５】
2010118815.tif 000007
【図６】
2010118815.tif 000008
【図７】
2010118815.tif 000009
【図８】
2010118815.tif 000010